(57)【要約】【課題】サンバイザーの屋根部の姿勢を容易に変更できるコンバインを提供する。【解決手段】操縦部（８）の上側に操縦部（８）を覆うサンバイザー（１０）を設け、サンバイザー（１０）の脚部（１３，１３）の下部をグレンタンク（５）の前壁（５Ａ）に装着し、脚部（１３，１３）の上部を連結する第１連結部（１３Ａ）の両側部に、複数の溝（１５Ａ）が形成されたプレート（１５）を固定し、第１連結部（１３Ａ）の両側部に、ステー（２５Ａ，２５Ａ）を介してサンバイザー（１０）の屋根部（１２）を固定する天面フレーム（１１）を回転自在に装着し、ステー（２５Ａ，２５Ａ）の上部を連結する第２連結部（２５Ｂ）の両側部に、レバー（２６，２７）の上部を固定し、レバー（２６，２７）の下部にピン（２８）を横設し、レバー（２６，２７）を回動させてピン（２８）を、溝（１５Ａ）に係合させる構成とすることにより解決される。【選択図】図７
2017042059.tif 000002
【特許請求の範囲】
【請求項１】
操縦部（８）の後側にグレンタンク（５）を配置したコンバインにおいて、
該操縦部（８）の上側に操縦部（８）を覆うサンバイザー（１０）を設け、
該サンバイザー（１０）の脚部（１３，１３）の下部を前記グレンタンク（５）の前壁（５Ａ）に装着し、
前記脚部（１３，１３）の上部を連結する第１連結部（１３Ａ）の両側部に、複数の溝（１５Ａ）が形成されたプレート（１５）を固定し、
前記第１連結部（１３Ａ）の両側部に、ステー（２５Ａ，２５Ａ）を介して前記サンバイザー（１０）の屋根部（１２）を固定する天面フレーム（１１）を回転自在に装着し、
該ステー（２５Ａ，２５Ａ）の上部を連結する第２連結部（２５Ｂ）の両側部に、レバー（２６，２７）の上部を固定し、
該レバー（２６，２７）の下部にピン（２８）を横設し、
前記レバー（２６，２７）を回動させてピン（２８）を、前記溝（１５Ａ）に係合させる構成としたコンバイン。
【請求項２】
前記レバー（２６，２７）を、前記脚部（１３，１３）の間に設けた請求項１記載のコンバイン。
【請求項３】
前記第２連結部（２５Ｂ）の右側部に固定されたレバー（２６）の長さを、前記第２連結部（２５Ｂ）の左側部に固定されたレベー（２７）の長さよりも長くした請求項１又は２コンバイン。
【請求項４】
前記左側の脚部（１３）に、前記操縦部（８）に向かって空気を送風するファン（３５）を設けた請求項１〜３のいずれか１項に記載したコンバイン。
【発明の詳細な説明】
【技術分野】
【０００１】
本発明は、サンバイザーを備えたコンバインに関するものである。
【背景技術】
【０００２】
従来、サンバイサーの脚部の上部に設けられたピンを差し替えてサンバイザーの屋根部の姿勢を変更する構成（特許文献１）や、操縦部の後側に配置されたグレンタンク前壁にサンバイサーの脚部を固定する構成（特許文献２）が知られている。
【先行技術文献】
【特許文献】
【０００３】
【特許文献１】特開平１１−４２０１１号公報
【特許文献２】特開２０１５−９７４８２号公報
【発明の概要】
【発明が解決しようとする課題】
【０００４】
特許文献１の構成では、サンバイザーの屋根部の姿勢を変更する場合に、ピンの差し替えを行わなければサンバイザーの屋根部の姿勢を容易に変更できないという問題があった。また、特許文献２の構成では、サンバイザーの脚部を剛性の高いグレンタンクの前壁に固定しているためにサンバイザーの振動は抑制されているが、サンバイザーの屋根部を姿勢を自由に変更することができないという問題があった。
【０００５】
そこで、本発明の課題は、サンバイザーの屋根部の姿勢を容易に変更することができる構成を提案することにある。
【課題を解決するための手段】
【０００６】
上記課題を解決した本発明は次記のとおりである。
請求項１に係る発明は、操縦部（８）の後側にグレンタンク（５）を配置したコンバインにおいて、
該操縦部（８）の上側に操縦部（８）を覆うサンバイザー（１０）を設け、該サンバイザー（１０）の脚部（１３，１３）の下部を前記グレンタンク（５）の前壁（５Ａ）に装着し、前記脚部（１３，１３）の上部を連結する第１連結部（１３Ａ）の両側部に、複数の溝（１５Ａ）が形成されたプレート（１５）を固定し、前記第１連結部（１３Ａ）の両側部に、ステー（２５Ａ，２５Ａ）を介して前記サンバイザー（１０）の屋根部（１２）を固定する天面フレーム（１１）を回転自在に装着し、該ステー（２５Ａ，２５Ａ）の上部を連結する第２連結部（２５Ｂ）の両側部に、レバー（２６，２７）の上部を固定し、該レバー（２６，２７）の下部にピン（２８）を横設し、前記レバー（２６，２７）を回動させてピン（２８）を、前記溝（１５Ａ）に係合させる構成としたコンバインである。
【０００７】
請求項２に係る発明は、前記レバー（２６，２７）を、前記脚部（１３，１３）の間に設けた請求項１記載のコンバインである。
【０００８】
請求項３に係る発明は、前記第２連結部（２５Ｂ）の右側部に固定されたレバー（２６）の長さを、前記第２連結部（２５Ｂ）の左側部に固定されたレベー（２７）の長さよりも長くした請求項１又は２コンバインである。
【０００９】
請求項４に係る発明は、前記左側の脚部（１３）に、前記操縦部（８）に向かって空気を送風するファン（３５）を設けた請求項１〜３のいずれか１項に記載したコンバインである。
【発明の効果】
【００１０】
請求項１記載の発明によれば、操縦部（８）の上側に操縦部（８）を覆うサンバイザー（１０）を設け、サンバイザー（１０）の脚部（１３，１３）の下部をグレンタンク（５）の前壁（５Ａ）に装着し、脚部（１３，１３）の上部を連結する第１連結部（１３Ａ）の両側部に、複数の溝（１５Ａ）が形成されたプレート（１５）を固定し、第１連結部（１３Ａ）の両側部に、ステー（２５Ａ，２５Ａ）を介してサンバイザー（１０）の屋根部（１２）を固定する天面フレーム（１１）を回転自在に装着し、ステー（２５Ａ，２５Ａ）の上部を連結する第２連結部（２５Ｂ）の両側部に、レバー（２６，２７）の上部を固定し、レバー（２６，２７）の下部にピン（２８）を横設し、レバー（２６，２７）を回動させてピン（２８）を、溝（１５Ａ）に係合させる構成としとしているので、サンバイザー（１０）の屋根部（１２）の姿勢を容易に変更することができる。
【００１１】
請求項２記載の発明によれば、請求項１に記載の発明の効果に加えて、レバー（２６，２７）を、脚部（１３，１３）の間に設けているので、脚部（１３，１３）の両側に延出する部材を抑制することができ、脚部（１３，１３）の両側にスペースを確保することができる。
【００１２】
請求項３記載の発明によれば、請求項１又は２記載の発明の効果に加えて、第２連結部（２５Ｂ）の右側部に固定されたレバー（２６）の長さを、第２連結部（２５Ｂ）の左側部に固定されたレベー（２７）の長さよりも長くしているので、操縦部（８）の外部からサンバイザー（１０）の屋根部（１２）の姿勢を容易に変更することができる。
【００１３】
請求項４記載の発明によれば、請求項１〜３のいずれか１項に記載の発明の効果に加えて、左側の脚部（１３）に、操縦部（８）に向かって空気を送風するファン（３５）を設けているので、操縦部（８）への粉塵の飛来を防止して操縦部（８）の良好な操作環境を維持することができる。
【図面の簡単な説明】
【００１４】
【図１】コンバインの右側面図である。
【図２】コンバインの正面図である。
【図３】グレンタンクの前壁に装着されたサンバイザーの右側面図である。
【図４】グレンタンクの前壁に装着されたサンバイザーの正面図である。
【図５】グレンタンクの前壁に装着されたサンバイザーの平面図である。
【図６】サンバイザーの左側面図である。
【図７】サンバイザーの正面図である。
【図８】サンバイザーの平面図である。
【図９】サンバイザーの姿勢を変更する方法を示した左側面図である。
【図１０】エアクリーナとプレクリーナを配置した右側面図である。
【図１１】エアクリーナとプレクリーナを配置した正面図である。
【図１２】グレンタンクの前壁に装着された他のサンバイザーの右側面図である。
【図１３】グレンタンクの前壁に装着された他のサンバイザーの正面図である。
【図１４】グレンタンクの前壁に装着された他のサンバイザーの平面図である。
【図１５】ホッパーの前壁に装着された他のサンバイザーの右側面図である。
【図１６】ホッパーの前壁に装着された他のサンバイザーの正面図である。
【図１７】ホッパーの前壁に装着された他のサンバイザーの平面図である。
【発明を実施するための形態】
【００１５】
以下、本発明の実施形態について添付図面を参照しつつ説明する。なお、理解を容易にするために、作業者から見て、前方を前側、後方を後側、右手側を右側、左手側を左側として便宜的に方向を示しながら説明しているが、これらにより構成が限定されるものではない。
【００１６】
図１，２に示すように、コンバインは、機体フレーム１の下側に土壌面を走行する左右一対のクローラからなる走行装置２が設けられ、走行装置２の前側に圃場の穀稈を収穫する刈取前処理装置３が設けられ、刈取前処理装置３の後側に収穫された穀稈を脱穀・選別処理する脱穀装置４が設けられている。
【００１７】
脱穀装置４で脱穀・選別処理された穀粒は、脱穀装置４の下部と脱穀装置４の右側に設けられたグレンタンク５の上部を連通する揚穀筒（図示省略）によってグレンタンク５に揚穀され、グレンタンク５に貯留された穀粒は、排出筒７によって外部へ排出される。
【００１８】
グレンタンク５の前側には、作業者が搭乗する操縦部８が設けられている。操縦部８の前部には、作業者の姿勢を維持するハンドル８Ａが設けられ、ハンドル８Ａの後側には、作業者が着席する操縦席８Ｂが設けられている。また、操縦部８の後側には、エンジンを搭載するエンジンルーム９が設けられ、操縦部８の上側には、直射日光を遮るサンバイザー１０が設けられている。
【００１９】
図１，２に示すように、刈取前処理装置３は、フィーダハウス３Ａと、オーガ装置３Ｂと、刈刃装置３Ｃと、掻込み装置３Ｄを備えており、必要に応じてオーガ装置３Ｂの未刈取り側である左壁の上側に略上下方向に延在する縦刈刃装置を備えることもできる。
【００２０】
フィーダハウス３Ａは、オーガ装置３Ｂによって搬送された稲、麦、大豆、そば等の穀稈を脱穀装置４に搬送する装置であり、オーガ装置３Ｂと脱穀装置４の間に設けられている。
【００２１】
オーガ装置３Ｂは、掻込み装置３Ｄで掻込まれた穀稈をオーガ装置３Ｂの後壁に形成された送込口の前側に寄せ集めてフィーダハウス３Ａに引き継ぐ装置であり、フィーダハウス３Ａの前側に設けられ、機体の左右方向の幅と略同一幅に形成されている。
【００２２】
刈刃装置３Ｃは、掻込み装置３Ｄで掻込まれた穀稈の株元を切断する装置であり、オーガ装置３Ｂの下壁の前端部に設けられ、側面視において前側から後側に緩やかに後上がり傾斜して形成されている。
【００２３】
掻込み装置３Ｄは、倒伏した穀稈、大豆やそば等の丈の低い穀稈、油菜や菜の花等の丈の高い穀稈をオーガ装置３Ｂに掻込む装置であり、オーガ装置３Ｂの上側に設けられ、オーガ装置３Ｂの左右方向の幅と略同一幅に形成されている。
【００２４】
図３〜５に示すように、サンバイザー１０は、天面フレーム１１と、天面フレーム１１の上側にボルト等の締結手段によって着脱自在に装着された直射日光を遮る屋根部１２と、天面フレーム１１から後下がり傾斜に設けられた角パイプ等からなる左右一対の脚部１３から構成されている。
【００２５】
グレンタンク５の前壁５Ａには、サンバイザー１０の脚部１３に対向する位置に角パイプ等からなる左右一対の支柱２０が固定されている。支柱２０の上部には、ブラケット２１が設けられており、ブラケット２１には、脚部１３の下部を回転自在に支持する支軸２１Ａが横設されている。
【００２６】
図３に示すように、脚部１３の下部に形成された係合穴とブラケット２１の後部に形成された係合穴にピン２２を挿通した場合は、サンバイザー１０は起立姿勢になり、脚部１３の下部に形成された係合穴とブラケット２１の前部に形成された係合穴にピン２２を挿通した場合には、サンバイザー１０は倒伏姿勢になる。
【００２７】
図６〜８に示すように、天面フレーム１１の後部と脚部１３の上部は、天面フレーム１１の姿勢を変更する姿勢変更部２５を介して連結されている。
【００２８】
姿勢変更部２５は、天面フレーム１１から下側に向かって延在する左右一対のステー２５Ａと、左右一対のステー２５Ａの上部を連結する丸棒等からなる連結部（請求項における「第２連結部」）２５Ｂと、連結部２５Ｂの右部に上部が回転自在に支持された操作レバー（請求項における「レバー」）２６と、連結部２５Ｂの左部に上部が回転自在に支持された補助レバー（請求項における「レバー」）２７と、操作レバー２６の中間部と補助レバー２７の下部を連結する丸棒等からなる左右方向に延在するピン２８から構成されている。また、操作レバー２６の上部には、操作レバー２６を後側に向かって付勢するスプリング等からなる付勢手段２６Ａが設けられている。なお、本実施形態の姿勢変更部２５においては、右側に操作レバー２６に設け、左側に補助レバー２７を設けているが、左側に操作レバー２６設け、右側に補助レバー２７を設けてもよく、また、左右の両側に操作レバー２６を設けてもよい。
【００２９】
左右一対の脚部１３の上部は、丸棒等からなる上連結部（請求項における「第１連結部」）１３Ａによって連結され、脚部１３の中間部は、丸棒等からなる下連結部１３Ｂによって連結されている。上連結部１３Ａにおける左右一対の脚部１３の間の左右両側部は、姿勢変更部２５の左右一対のステー２５Ａに回転自在に支持され、上連結部１３Ａにおける左右一対のステー２５Ａの間の部位には、丸パイプ等からなるカラー１４が外嵌されている。また、上連結部１３Ａにおける右側の脚部１３と右側のステー２５Ａの間には、前部に姿勢変更部２５のピン２８が係合する３個の略円弧状の溝１５Ａが形成された位置決めプレート（請求項における「プレート」）１５が固定され、上連結部１３Ａにおける左側の脚部１３と左側のステー２５Ａの間には、前部に姿勢変更部２５のピン２８が係合する３個の略円弧状の溝１５Ａが形成された位置決めプレート１５が固定されている。
【００３０】
これにより、操作レバー２６を操作して、サンバイザー１０の姿勢を容易に変更することができる。図６に示す中立姿勢、すなわち、位置決めプレート１５の上下方向の中間に形成された溝１５Ａに姿勢変更部２５のピン２８を係合させた状態から、図９に示す後上がり姿勢に姿勢を変更する場合には、操作レバー２６を前側に移動させてピン２８と溝１５Ａの係合を外して、次に天面フレーム１１の前部を手動で下側に下げて、次に操作レバー２６を後側に移動させて位置決めプレート１５の上部に形成された溝１５Ａにピン２８を係合させればよい。また、図６に示す中立姿勢から図９に示す後下がり姿勢に姿勢を変更する場合には、操作レバー２６を前側に移動させてピン２８と溝１５Ａの係合を外して、次に天面フレーム１１の前部を手動で上側に上げて、次に操作レバー２６を後側に移動させて位置決めプレート１５の下部に形成された溝１５Ａにピン２８を係合させればよい。
【００３１】
図１０，１１に示すように、エンジンルーム９の後壁９Ｂの操縦席８Ｂ側には、エンジンに供給する空気中の不純物を除去するエアクリーナ３０が左右方向に横姿勢で装着されている。なお、正面視において、エアクリーナ３０は、グレンタンク５の前壁５Ａの上部おける左右一対の支柱２０の間に配置されている。また、グレンタンク５の前壁５Ａとエンジンルーム９の後壁９Ｂの間の空間に粉塵等の浸入を防止するために、側壁５Ｆがグレンタンク５の右壁５Ｄの前側に向かって延在している。
【００３２】
脱穀装置３の下部とグレンタンク５の上部を連結する揚穀筒には、エアクリーナ３０に供給される空気中の比較的大きな不純物を予め除去するプレクリーナ３１が装着されている。なお、正面視において、エアクリーナ３０は、サンバイザー１０の左側の脚部１３の左側の下部に設けられている。
【００３３】
サンバイザー１０の左側の脚部１３の脱穀装置３側に、操縦部８に向かって空気を送風するファン３５が支持部３６を介して装着されている。正面視において、ファン３５は、屋根部１２とプレクリーナ３１の間に形成された空間に設けられ、ファン３５は、支持部３６の左右方向に延在する支軸３６Ａを中心として上下方向に回動し、支持部３６の上下方向に延在する支軸３６Ｂを中心として左右方向に回動する。これにより、操縦部８に飛散してくる藁屑等の粉塵を操縦部８の外部に効率よく排出することができる。
【００３４】
ファン３５とコントローラ（図示省略）を接続するハーネスは、断線を防止するためにグレンタンク５の回動支点まで延在するのが好ましく、また、本実施形態のファン３５は、サンバイザー１０の左側の脚部１３に装着しているが、右側の脚部１３の左側の脚部１３側に装着することもできる。
【００３５】
次に、他のサンバイサー１０について説明する。なお、同一部材には、同一符号を付して説明を省略する。
【００３６】
図１２〜１４に示すように、サンバイザー１０は、天面フレーム１１と、天面フレーム１１の上側にボルト等の締結手段によって着脱自在に装着された直射日光を遮る屋根部１２と、天面フレーム１１から後下がり傾斜し、下側に向かって湾曲した後に下側に向かって延在する角パイル等からなる脚部４０から構成されている。
【００３７】
グレンタンク５の前壁５Ａには、サンバイザー１０の脚部４０に対向する位置に角パイプ等からなる支持部材４１が設けられ、サンバイザー１０の脚部４０の下部は、支持部材４１内を上下方向に移動可能に挿通されている。
【００３８】
支持部材４１は、グレンタンク５の上壁５Ｅに設けられた上ステー４２の前面とグレンタンク５の前壁５Ａに設けられた下ステー４３の内周部に固定されている。これにより、支持部材４１の変形を防止して、サンバイザー４０を上下方向にスムーズに移動させることができる。
【００３９】
サンバイザー４０の上下方向の移動は、脚部４０の下部に上下方向に所定の間隔を隔てて形成された係合穴と支持部材４１に形成された係合穴にピン４４を挿通して行うことができる。また、脚部４０と支持部材４１の間の隙間によって発生する振動を防止するために、上ステー４２に設けられたノブボルト４５によって脚部４０を後側に移動させて支持部材４１の内周部に接当させるのが好ましい。
【００４０】
天面フレーム１１の後部と脚部１３の上部は、天面フレーム１１の姿勢を変更する姿勢変更部２５を介して連結されている。また、脚部４０の機体内側には、操縦部８に向かって空気を送風するファン３５を装着することができる。
【００４１】
次に、ホッパー５０に他のサンバイサー１０を装着する構成について説明する。なお、同一部材には、同一符号を付して説明を省略する。
【００４２】
図１５〜１７に示すように、サンバイザー１０は、天面フレーム１１と、天面フレーム１１の上側にボルト等の締結手段によって着脱自在に装着された直射日光を遮る屋根部１２と、天面フレーム１１から後下がり傾斜し、下側に向かって湾曲した後に下側に向かって延在する角パイル等からなる脚部４０から構成されている。
【００４３】
ホッパー５０の前壁５０Ａには、サンバイザー１０の脚部４０に対向する位置に角パイプ等からなる支持部材４１が設けられ、サンバイザー１０の脚部４０の下部は、支持部材４１内を上下方向に移動可能に挿通されている。
【００４４】
支持部材４１は、ホッパー５０の前壁５Ａに設けられたステー５１の内周部に固定されている。これにより、支持部材４１の変形を防止して、サンバイザー４０を上下方向にスムーズに移動させることができる。
【００４５】
サンバイザー４０の上下方向の移動は、脚部４０の下部に上下方向に所定の間隔を隔てて形成された係合穴と支持部材４１に形成された係合穴にピン４４を挿通して行うことができる。なお、ピン４４は、ステー５１に左右方向に移動可能に支持されている。
【産業上の利用可能性】
【００４６】
本発明は、農業用作業車輌に適用できるものである。
【符号の説明】
【００４７】
５          グレンタンク
５Ａ        前壁
８          操縦部
１０        サンバイザー
１１        天面フレーム
１２        屋根部
１３        脚部
１３Ａ      上連結部（第１連結部）
１５        位置決めプレート（プレート）
１５Ａ      溝
２５Ａ      ステー
２５Ｂ      連結部（第２連結部）
２６        操作レバー（レバー）
２７        補助レバー（レバー）
２８        ピン
３５        ファン
【図１】
2017042059.tif 000003
【図２】
2017042059.tif 000004
【図３】
2017042059.tif 000005
【図４】
2017042059.tif 000006
【図５】
2017042059.tif 000007
【図６】
2017042059.tif 000008
【図７】
2017042059.tif 000009
【図８】
2017042059.tif 000010
【図９】
2017042059.tif 000011
【図１０】
2017042059.tif 000012
【図１１】
2017042059.tif 000013
【図１２】
2017042059.tif 000014
【図１３】
2017042059.tif 000015
【図１４】
2017042059.tif 000016
【図１５】
2017042059.tif 000017
【図１６】
2017042059.tif 000018
【図１７】
2017042059.tif 000019